(57)【要約】【課題】本発明は、ビデオ信号が電子装置間で伝送される際に影響されず、且つ電子装置がディスプレイによってビデオ信号を放送する際、信号の歪みを防止する電子装置を提供することを目的とする。【解決手段】本発明の電子装置は、コーデックチップと、π型フィルタと、ビデオスイッチと、ビデオインタフェースと、ビデオスイッチとビデオインタフェースとに接続されたコンデンサと、スイッチと、を備え、コーデックチップは、出力端を備え、スイッチは、第一導通端と、第二導通端と、制御受け端と、を備え、第一導通端と第二導通端とは、コンデンサの両端に接続され、スイッチの制御受け端は、コーデックチップの制御端と接続される。【選択図】図２
2013223242.tif 000002
【特許請求の範囲】
【請求項１】
コーデックチップと、π型フィルタと、ビデオスイッチと、ビデオインタフェースと、前記ビデオスイッチと前記ビデオインタフェースとに接続されたコンデンサと、を備えたビデオ再生機能を持っている電子装置において、
前記コーデックチップは、出力端を備え、
前記電子装置は、スイッチを、備え、
前記スイッチは、第一導通端と、第二導通端と、制御受け端と、を備え、
前記第一導通端と第二導通端とは、それぞれ対応する前記コンデンサの両端に接続され、
前記スイッチの制御受け端は、前記コーデックチップの制御端と接続され、
前記コーデックチップが、前記ビデオインタフェースと他の電子装置置とに接続された場合、前記制御端によって、第一信号を出力して、前記スイッチが遮断するように制御し、
前記ビデオインタフェースとディスプレイとが接続された場合、前記制御端によって、第二信号を出力して、前記スイッチが導通するように制御することを特徴とする電子装置。
【請求項２】
前記スイッチは、一つの高レベル導通スイッチであり、この場合、第一信号は低レベル信号であり、第二信号は高レベル信号であることを特徴とする請求項１に記載の電子装置。
【請求項３】
前記スイッチは、ＮＭＯＳＦＥＴあり、
前記第一導通端と、前記第二導通端と、前記制御端とは、それぞれ対応する前記ＮＭＯＳＦＥＴのソース電極と、ドレイン電極と、ゲート電極とに接続されることを特徴とする請求項２に記載の電子装置。
【請求項４】
前記スイッチはＮＰＮトランジスタであり、
前記第一導通端と、前記第二導通端と、前記制御端とは、それぞれ対応する前記ＮＰＮトランジスタのエミッタ電極と、コレクタ電極と、ベース電極とに接続されることを特徴とする請求項２に記載の電子装置。
【請求項５】
前記スイッチは、低レベル導通スイッチであり、この場合、前記第一信号は高レベル信号であり、前記第二信号は低レベル信号であることを特徴とする請求項１に記載の電子装置。
【請求項６】
前記スイッチは、ＰＭＯＳトランジスタ或いはＰＮＰトランジスタであることを特徴とする請求項５に記載の電子装置。
【発明の詳細な説明】
【技術分野】
【０００１】
本発明は、電子装置に関し、特にビデオ再生機能を備えた電子装置に関するものである。
【背景技術】
【０００２】
現在、携帯電話、デジタルカメラ、電子ペーパー等の電子装置は、ビデオ再生機能を備えている。図１に示したように、ビデオ再生機能を備えた電子装置１００’は、コーデックチップ１０と、π型フィルタ２０と、ビデオスイッチ３０と、ビデオインタフェース４０と、を備える。コーデックチップ１０は、出力端ＯＰを備え、コーデックされた信号は、π型フィルタ２０によって濾過された後、ビデオスイッチ３０によって、選択的にビデオインタフェース４０と接続される。ビデオインタフェース４０は、ディスプレイと接続されて、前記信号は、ディスプレイに表示される。異なる電子装置のビデオ信号の直流電圧は異なるので、電子装置の間にビデオ信号を伝送する際に、この異なる直流電圧が、ビデオ信号に影響を与えないために、電子裝置１００’は、さらにビデオスイッチ３０とビデオインタフェース４０とを接続するコンデンサＣ１を、備える。電子装置１００’が、ビデオインタフェース４０によって、ビデオ信号を他の電子装置に伝送する場合、コンデンサＣ１は、電子装置１００’が出力した直流電圧を濾過して、高い直流電圧のビデオ信号が、低い直流電圧のビデオ信号の電子装置に伝送されて、ビデオがはっきりしない或いは歪み等が発生することを防止する。しかし、電子裝置１００’が、他の電子装置と接続されず、ただディスプレイのみに信号を伝送する場合は、コンデンサＣ１が直流電圧を濾過するので、ビデオ信号に一定の歪みができてしまう。
【発明の概要】
【発明が解決しようとする課題】
【０００３】
以上の問題点に鑑みて、本発明は、ビデオ信号が電子装置間で伝送される際に影響されず、且つ電子装置がディスプレイによってビデオ信号を放送する際、信号の歪みを防止する電子装置を提供することを目的とする。
【課題を解決するための手段】
【０００４】
上記の課題を解決するために、本発明の電子装置は、コーデックチップと、π型フィルタと、ビデオスイッチと、ビデオインタフェースと、前記ビデオスイッチと前記ビデオインタフェースとに接続されたコンデンサと、を備える。前記コーデックチップは、出力端を備える。また、前記電子装置は、スイッチを、備え、前記スイッチは、第一導通端と、第二導通端と、制御受け端と、を備え、前記第一導通端と第二導通端とは、それぞれ対応する前記コンデンサの両端に接続され、前記制御受け端は、前記コーデックチップの制御端と接続され、前記コーデックチップが、前記ビデオインタフェースと他の電子装置と接続される場合、前記制御端によって、第一信号を出力して、前記スイッチが遮断するように制御し、前記ビデオインタフェースとディスプレイとが接続された場合、前記制御端によって、第二信号を出力して、前記スイッチが導通するように制御する。
【発明の効果】
【０００５】
本発明のビデオ再生機能を持つ電子装置は、ビデオ信号が電子装置間で伝送される際に影響されず、且つ電子装置がディスプレイによってビデオ信号を放送する際、信号の歪みを防止する。
【図面の簡単な説明】
【０００６】
【図１】ビデオ再生機能を備えた従来の電子装置の回路図である。
【図２】ビデオ再生機能を備えた本発明に係る電子装置の回路図である。
【発明を実施するための形態】
【０００７】
以下、図面に基づいて、本発明に係るビデオ再生機能を備えた電子装置について詳細に説明する。
【０００８】
図２に示したように、本発明に係るビデオ再生機能を備えた電子装置１００は、コンデンサＣ１と該コンデンサに並列するスイッチＫ１と、を備え、スイッチＫ１は、第一導通端１０１と、第二導通端１０２と、制御受け端１０３と、を備える。第一導通端１０１と第二導通端１０２とは、コンデンサＣ１の両端に接続される。コーデックチップ１０は、制御端ＣＰを備え、制御受け端１０３は、制御端ＣＰに接続される。
【０００９】
コーデックチップ１０が、電子装置１００のビデオインタフェース４０と他の電子装置とに接続される場合、制御端ＣＰによって、第一信号を出力して、スイッチＫ１が遮断されるように制御する。これにより、電子装置１００のビデオ信号は濾過された後、ビデオインタフェース４０によって、他の電子装置に出力されて、電子装置が処理できるビデオ信号の直流電圧と、電子装置１００が出力したビデオ信号の直流電圧との差が大きいために、他の電子裝置が正常にビデオ信号を処理できないことを防止する。
【００１０】
コーデックチップ１０が、電子装置１００のビデオインタフェース４０とディスプレイとに接続された場合、制御端ＣＰによって、第二信号を出力して、スイッチＫ１が導通するように制御する。これにより、電子装置１００のビデオ信号は、導通されたスイッチＫ１とビデオインタフェース４０によって、直接にディスプレイに出力され、コンデンサＣ１が濾過した後、歪みの発生を防止する。
【００１１】
本実施形態において、他の電子装置は、例えば、携帯電話等であり、ディスプレイは、ビデオ再生機能を持つ装置であり、例えば、ＬＣＤディスプレイ画面、電子ペーパーのディスプレイ画面等である。
【００１２】
本実施形態において、スイッチＫ１は、一つの高レベル導通スイッチであるが、好ましくはＮＭＯＳＦＥＴＱ１である。また、この時、第一信号は低レベル信号であり、第二信号は高レベル信号である。スイッチＫ１の第一導通端１０１と、第二導通端１０２と、制御端１０３とは、それぞれ対応するＮＭＯＳＦＥＴＱ１のソース電極と、ドレイン電極と、ゲート電極とに接続される。他の実施形態において、スイッチＫ１は、ＮＰＮトランジスタであり、スイッチＫ１の第一導通端１０１と、第二導通端１０２と、制御端１０３とは、対応するＮＰＮトランジスタのエミッタ電極と、コレクタ電極と、ベース電極とにそれぞれ接続される。
【００１３】
他の実施形態において、スイッチＫ１は、低レベル導通スイッチであり、例えばＰＭＯＳトランジスタ或いはＰＮＰトランジスタである。この時、第一信号は高レベル信号であり、第二信号は低レベル信号である。
【００１４】
π型フィルタ２０は、抵抗と、容量と、インダクタンスと、を備え、ビデオスイッチ３０の構造と同じなので、詳しい説明は省略する。
【００１５】
電子装置１００は、ビデオ再生機能を備えた電子装置であり、例えば、携帯電話、カメラ、電子ペーパー等である。
【００１６】
本発明のビデオ再生機能を備えた電子装置は、ビデオ信号が電子装置間で伝送される際に影響されず、且つ電子装置がディスプレイによってビデオ信号を放送する際、信号の歪みを防止することができる。
【符号の説明】
【００１７】
１００、１００’  電子装置
１０  コーデックチップ
２０  π型フィルタ
３０  ビデオスイッチ
４０  ビデオインタフェース
Ｃ１  コンデンサ
Ｋ１  スイッチ
１０１  第一導通端
１０２  第二導通端
１０３  制御受け端
ＣＰ  制御端
ＯＰ  出力端
Ｑ１  ＮＭＯＳＦＥＴ
【図１】
2013223242.tif 000003
【図２】
2013223242.tif 000004